(57)【要約】【目的】バッテリの交換作業性を向上する。【構成】ワイヤハーネス用プロテクタ３０では、独立した異なる複数のワイヤハーネスのうちのワイヤハーネス２６を、ワイヤハーネス保護部３２に保持した保護状態で、固定部４２、４４が車体側のブラケット４８、５０に固定されており、ワイヤハーネス２４がワイヤハーネスガイド部３４に保護状態で固定されている。また、バッテリ端子１４の近傍にまで延設されたワイヤハーネス固定部５２の先端部５２Ａに、バッテリ端子１４に連結されたワイヤハーネス２６の端部２６Ａの近傍の部位２６Ｂが固定されており、バッテリ端子１２の近傍にまで延設されたワイヤハーネス固定部６０の先端部６０Ａに、バッテリ端子１２に連結されたワイヤハーネス２４の端部２４Ａの近傍の部位２４Ｂが固定されている。【選択図】  図１
2004208443.tif 000002
【特許請求の範囲】
【請求項１】
車体側に固定するめの固定部と、
独立した異なる複数のワイヤハーネスの何れかを保持すると共に、ワイヤハーネスを保護するためのワイヤハーネス保護部と、
他のワイヤハーネスを固定且つ保護可能なワイヤハーネスガイド部と、
バッテリ端子の近傍に延設されワイヤハーネスを固定可能なワイヤハーネス固定部と、
を有することを特徴とするワイヤハーネス用プロテクタ。
【請求項２】
前記ワイヤハーネス保護部は閉断面構造となっており、前記ワイヤハーネスガイド部は前記ワイヤハーネス保護部に沿って形成された開断面構造であることを特徴とする請求項１に記載のワイヤハーネス用プロテクタ。
【請求項３】
前記ワイヤハーネス固定部は、前記バッテリ端子の向きを決める位置に延設されていることを特徴とする請求項１、２の何れか１つに記載のワイヤハーネス用プロテクタ。
【発明の詳細な説明】
【０００１】
【発明の属する技術分野】
本発明はワイヤハーネス用プロテクタに係り、特に、自動車等の車両のバッテリ周辺においてワイヤハーネスの経路を決めるためのワイヤハーネス用プロテクタに関する。
【０００２】
【従来の技術】
従来、自動車等の車両のバッテリ周辺においてワイヤハーネスの経路を決めるためのワイヤハーネス用プロテクタには、バッテリ側にガイド突起を設け、ケーブル端子はカプラにまとめて、バッテリのガイド突起へ押し込む構成が知られている（例えば、特許文献１参照。）。
【０００３】
【特許文献１】
特許第３２２４２１８号公報
【０００４】
【発明が解決しようとする課題】
しかしながら、このようなワイヤハーネス用プロテクタにおいては、バッテリを交換する際に、バッテリから外したワイヤハーネスが邪魔になり、交換作業性が良くない。
【０００５】
本発明は上記事実を考慮し、バッテリの交換作業性を向上できるワイヤハーネス用プロテクタを提供することが目的である。
【０００６】
【課題を解決するための手段】
請求項１記載の本発明のワイヤハーネス用プロテクタは、
車体側に固定するめの固定部と、
独立した異なる複数のワイヤハーネスの何れかを保持すると共に、ワイヤハーネスを保護するためのワイヤハーネス保護部と、
他のワイヤハーネスを固定且つ保護可能なワイヤハーネスガイド部と、
バッテリ端子の近傍に延設されワイヤハーネスを固定可能なワイヤハーネス固定部と、
を有することを特徴とする。
【０００７】
従って、独立した異なる複数のワイヤハーネスのうちの何れかのワイヤハーネスを、ワイヤハーネス保護部に保持した保護状態で、固定部を車体側に固定することができ、他のワイヤハーネスをワイヤハーネスガイド部に保護状態で固定できる。また、バッテリ端子の近傍に延設されたワイヤハーネス固定部にワイヤハーネスを固定できる。この結果、バッテリを交換する際には、バッテリから外した独立した異なる複数のワイヤハーネスが、ワイヤハーネスガイド部とワイヤハーネス保護部において車体側に固定されていると共に、ワイヤハーネスのバッテリ端子側の部位が、バッテリ端子の近傍に延設されたワイヤハーネス固定部に固定されている。このため、バッテリから外した各ワイヤハーネスがばらけることがなく所定の位置に保持されており、バッテリ交換作業の邪魔にならないので、バッテリの交換作業性を向上できる。
【０００８】
請求項２記載の本発明は、請求項１に記載のワイヤハーネス用プロテクタにおいて、前記ワイヤハーネス保護部は閉断面構造となっており、前記ワイヤハーネスガイド部は前記ワイヤハーネス保護部に沿って形成された開断面構造であることを特徴とする。
【０００９】
従って、請求項１に記載の内容に加えて、閉断面構造となっているワイヤハーネス保護部で異なる複数のワイヤハーネスの何れかを保持した状態でワイヤハーネス用プロテクタを車体側に固定した後、ワイヤハーネス保護部に沿って形成された開断面構造であるワイヤハーネスガイド部に他のワイヤハーネスを固定できるため、ワイヤハーネスの組付作業性も向上できる。且つ、ワイヤハーネス保護部が無い場合にワイヤハーネスに必要となる保護部材が、ワイヤハーネスをワイヤハーネスガイド部に固定することで、廃止可能となるため、コストダウンも可能となる。
【００１０】
請求項３記載の本発明は、請求項１、２の何れか１つに記載のワイヤハーネス用プロテクタにおいて、前記ワイヤハーネス固定部は、前記バッテリ端子の向きを決める位置に延設されていることを特徴とする。
【００１１】
従って、請求項１、２の何れか１つに記載の内容に加えて、ワイヤハーネス固定部は、バッテリ端子の向きを決める位置に延設されているため、バッテリ端子の円周方向位置のばらつきも防止できる。
【００１２】
【発明の実施の形態】
本発明に係るワイヤハーネス用プロテクタの一実施形態を図１〜図５に従って説明する。
【００１３】
図１に示される如く、本実施形態では、自動車車体におけるエンジンルーム内に配設されたバッテリ１０の上面１０Ａにバッテリポスト（図示省略）が上方に向って立設されており、これらのバッテリポストには、バッテリ端子１２、１４が取付可能となっている。また、バッテリ端子１２、１４には、独立した異なる複数のワイヤハーネス２０、２２、２４、２６の端部２０Ａ、２２Ａ、２４Ａ、２６Ａが連結されている。
【００１４】
バッテリ１０の近傍には、ワイヤハーネス用プロテクタ３０が、バッテリ１０の幅方向（図１の矢印Ｗ方向）に沿って配設されている。
【００１５】
図４に示される如く、ワイヤハーネス用プロテクタ３０のワイヤハーネス保護部３２は、矩形閉断面構造とされており、閉断面内にワイヤハーネス２６が保持されている。また、ワイヤハーネス用プロテクタ３０におけるワイヤハーネス保護部３２の上部には、ワイヤハーネス保護部３２に沿ってワイヤハーネスガイド部３４が形成されており、ワイヤハーネスガイド部３４は上方が開口した断面コ字状の開断面構造となっている。また、ワイヤハーネスガイド部３４の開口部端部には、内側に向かって一対の係合爪３４Ａが形成されている。
【００１６】
従って、ワイヤハーネスガイド部３４には、ワイヤハーネス２４が開口部から挿入可能となっており、挿入されたワイヤハーネス２４は、係合爪３４Ａによって保持されると共に、ワイヤハーネス２４は、ワイヤハーネスガイド部３４の両側壁部３４Ａによって保護されるようになっている。
【００１７】
図１に示される如く、ワイヤハーネスガイド部３４の両側壁部３４Ａには、長さ方向に沿って所定の間隔でスリット４０が形成されており、係合爪３４Ａの弾性変形による開閉方向の移動を円滑にしている。また、ワイヤハーネス用プロテクタ３０のワイヤハーネス保護部３２における長手方向両端下部近傍には、それぞれ固定部４２、４４が形成されており、これらの固定部４２、４４が固定部材としての、例えば、スクリュウ４６によって車体側のブラケット４８、５０に固定されている。
【００１８】
図２に示される如く、ワイヤハーネス用プロテクタ３０のワイヤハーネス保護部３２における長手方向の一方の端部からは、バッテリ端子１４の近傍に向かってワイヤハーネス固定部５２が延設されている。このワイヤハーネス固定部５２の先端部５２Ａはバッテリ端子１４の向きを決める位置まで延設されており、先端部５２Ａの近傍には、バッテリ端子１４に連結されたワイヤハーネス２６における端部２６Ａ近傍の部位２６Ｂが、テープ５４等で固定されている。また、ワイヤハーネス固定部５２の先端部５２Ａ近傍の部位５２Ｂには、爪形状の取付部でワイヤハーネス固定部５２に固定されたクランプ５５を介してワイヤハーネス２４が保持されている。
【００１９】
図３に示される如く、ワイヤハーネス用プロテクタ３０のワイヤハーネスガイド部３４における長手方向の中間部からは、バッテリ端子１２の近傍に向かってワイヤハーネス固定部６０が延設されている。このワイヤハーネス固定部６０の先端部６０Ａはバッテリ端子１２の向きを決める位置まで延設されており、先端部６０Ａの近傍には、バッテリ端子１２に連結されたワイヤハーネス２４の端部２４Ａの近傍の部位２４Ｂが、樹脂バンド６２で固定されている。
【００２０】
また、ワイヤハーネス用プロテクタ３０におけるワイヤハーネス固定部６０の近傍にはワイヤハーネス収納部６６が形成されている。
【００２１】
図５に示される如く、ワイヤハーネス収納部６６は、上方に切欠６８を有するボックス状とされており、ワイヤハーネス２２の一部、即ち、図５に実線で示す、バッテリ組付作業時に必要なワイヤハーネス２２の余長分２２Ａを収納可能となっている。なお、図５の二点鎖線は、組付前のワイヤハーネス２２の状態を示している。
【００２２】
次に、本実施形態の作用を説明する。
【００２３】
本実施形態のワイヤハーネス用プロテクタ３０では、独立した異なる複数のワイヤハーネスのうちのワイヤハーネス２６を、閉断面構造とされたワイヤハーネス保護部３２に保持した保護状態で、固定部４２、４４をスクリュウ４６によって車体側のブラケット４８、５０に固定でき、ワイヤハーネス２４を開断面構造とされたワイヤハーネスガイド部３４に保護状態で固定できる。
【００２４】
また、バッテリ端子１４の近傍にまで延設されたワイヤハーネス固定部５２の先端部５２Ａに、バッテリ端子１４に連結されたワイヤハーネス２６の端部２６Ａの近傍の部位２６Ｂを樹脂バンド５４で固定でき、バッテリ端子１２の近傍にまで延設されたワイヤハーネス固定部６０の先端部６０Ａに、バッテリ端子１２に連結されたワイヤハーネス２４の端部２４Ａの近傍の部位２４Ｂを樹脂バンド６２で固定できる。
【００２５】
この結果、バッテリ１０を交換する際には、バッテリ１０から外した独立した異なる複数のワイヤハーネス２４、２６が、ワイヤハーネスガイド部３４とワイヤハーネス保護部３２において車体側に固定されていると共に、ワイヤハーネス２４、２６のバッテリ端子側の端部２４Ａ、２６Ａの近傍の部位２４Ｂ、２６Ｂが、バッテリ端子１２、１４の近傍に延設されたワイヤハーネス固定部６０、５２にそれぞれ固定されている。
【００２６】
このため、バッテリ１０から外した各ワイヤハーネス２４、２６がばらけることがなく所定の位置に保持されたままとなるので、ワイヤハーネス２４、２６が、バッテリ交換作業の邪魔にならない。
【００２７】
即ち、バッテリ交換時に作業者が、ばらけたワイヤハーネス２４、２６を片手でどかしながら、もう一方の手で重いバッテリ１０をずらして正規の位置に搭載する必要が無くなるため、バッテリ１０の交換作業性を向上できる。
【００２８】
また、本実施形態では、閉断面構造となっているワイヤハーネス保護部３２でワイヤハーネス２６を保持した状態でワイヤハーネス用プロテクタ３０を車体側に固定した後、ワイヤハーネス保護部３２に沿って形成された開断面構造であるワイヤハーネスガイド部３４にワイヤハーネス２４を固定できるため、ワイヤハーネスの組付作業性も向上できる。且つ、ワイヤハーネス用プロテクタ３０が無い場合にワイヤハーネス２４に必要となる保護部材が、ワイヤハーネス２４をワイヤハーネス用プロテクタ３０のワイヤハーネスガイド部３４に固定することで、廃止可能となるため、コストダウンも可能となる。
【００２９】
また、本実施形態のワイヤハーネス用プロテクタ３０では、ワイヤハーネス固定部５２、６０が、バッテリ端子１４、１２の向きを決める位置に延設されている。このため、ワイヤハーネス固定部５２、６０とバッテリ端子１４、１２との間のワイヤハーネス２６、２４における寸法の短縮、ばらつきの縮小、剛性の向上、及びバッテリ端子１４、１２の円周方向位置におけるばらつきの防止が可能となる。この結果、ワイヤハーネス２４、２６の経路のばらつきが小さくなる。このため、バッテリ１０の交換作業性を向上できると共に、周辺部品との隙間を小さくできるので、周辺部品を含め部品搭載自由度が大きくなる。
【００３０】
また、本実施形態のワイヤハーネス用プロテクタ３０では、図５に実線で示す、バッテリ組付作業時に必要なワイヤハーネス２２の余長分２２Ａを、組付作業終了後、ワイヤハーネス収納部６６へ収納することで、ワイヤハーネス２２の余長分２２Ａと他の部品との干渉を防止することができるため、バッテリ１０近傍への他の部品搭載効率が向上する。
【００３１】
以上に於いては、本発明を特定の実施形態について詳細に説明したが、本発明はかかる実施形態に限定されるものではなく、本発明の範囲内にて他の種々の実施形態が可能であることは当業者にとって明らかである。
【００３２】
【発明の効果】
請求項１記載の本発明のワイヤハーネス用プロテクタは、車体側に固定するめの固定部と、独立した異なる複数のワイヤハーネスの何れかを保持すると共に、ワイヤハーネスを保護するためのワイヤハーネス保護部と、他のワイヤハーネスを固定且つ保護可能なワイヤハーネスガイド部と、バッテリ端子の近傍に延設されワイヤハーネスを固定可能なワイヤハーネス固定部と、を有するため、バッテリの交換作業性を向上できるという優れた効果を有する。
【００３３】
請求項２記載の本発明は、請求項１に記載のワイヤハーネス用プロテクタにおいて、ワイヤハーネス保護部は閉断面構造となっており、ワイヤハーネスガイド部はワイヤハーネス保護部に沿って形成された開断面構造であるため、請求項１に記載の効果に加えて、ワイヤハーネスの組付作業性も向上できると共にコストダウンも可能になるという優れた効果を有する。
【００３４】
請求項３記載の本発明は、請求項１、２の何れか１つに記載のワイヤハーネス用プロテクタにおいて、ワイヤハーネス固定部は、バッテリ端子の向きを決める位置に延設されているため、請求項１、２の何れか１つに記載の効果に加えて、バッテリ端子の円周方向位置のばらつきも防止できるという優れた効果を有する。
【図面の簡単な説明】
【図１】本発明の一実施形態に係るワイヤハーネス用プロテクタを示す前方斜め上方から見た斜視図である。
【図２】本発明の一実施形態に係るワイヤハーネス用プロテクタを示す斜め上側前方から見た斜視図である。
【図３】本発明の一実施形態に係るワイヤハーネス用プロテクタを示す斜め上側前方から見た斜視図である。
【図４】図１の４−４線に沿った拡大断面図である。
【図５】図１の５−５線に沿った拡大断面図である。
【符号の説明】
１０    バッテリ
１２    バッテリ端子
１４    バッテリ端子
２４    ワイヤハーネス
２６    ワイヤハーネス
３０    ワイヤハーネス用プロテクタ
３２    ワイヤハーネス用プロテクタのワイヤハーネス保護部
３４    ワイヤハーネス用プロテクタのワイヤハーネスガイド部
４２    ワイヤハーネス用プロテクタの固定部
４４    ワイヤハーネス用プロテクタの固定部
５２    ワイヤハーネス用プロテクタのワイヤハーネス固定部
６０    ワイヤハーネス用プロテクタのワイヤハーネス固定部
【図１】
2004208443.tif 000003
【図２】
2004208443.tif 000004
【図３】
2004208443.tif 000005
【図４】
2004208443.tif 000006
【図５】
2004208443.tif 000007